(57)【要約】【課題】主親機に対し無線同期を行う従属親機が主親機との同期を外してしまうと、従属親機は再同期のためのオープンサーチを起動するため、その間従属親機下の子機も従属親機に対する同期を外すことになり、その子機は一時的に使用不可になってしまう。本課題に対し、主親機との同期を外しにくい同期維持方法の提供を目的とする。【解決手段】従属親機２０に受信制御チャネル管理部２０５を設け、主親機１０の制御チャネルを一定時間受信失敗した場合、フレーム同期を維持したまま、すべてのスロットとすべてのキャリアの組み合わせにて主親機１０の制御チャネル走査を実施し、主親機１０の制御チャネルが見つかった場合には、そのスロット及びキャリアにて同期を維持することにより、従属親機２０は主親機１０との同期を外しにくくなる。【選択図】図１
2007013543.tif 000002
【特許請求の範囲】
【請求項１】
主親機に対し無線同期を行う従属親機が存在する無線システムにおいて、従属親機が主親機の制御チャネルを一定時間受信失敗した場合に、すべてのスロットとすべてのキャリアの組み合わせにて主親機の制御チャネルを走査する手段と、主親機の制御チャネルが見つかった場合には、そのスロット及びキャリアにて同期を維持する手段とを有することを特徴とする無線通信システム。
【請求項２】
従属親機が主親機の制御チャネルを一定時間受信失敗した場合に、同期中のフレーム同期を維持する手段を有することを特徴とする請求項１の無線通信システム。
【請求項３】
主親機に対し無線同期を行う従属親機が存在する無線システムにおいて、
主親機の制御チャネルの受信に失敗した場合に従属親機の無線受信部は受信制御チャネル制御部へ受信エラーを通知し、
受信エラーが一定時間続いた場合に従属親機の受信制御チャネル制御部は受信制御チャネル管理部へ制御チャネルの受信状況悪化を通知し、
制御チャネルの受信状況悪化の通知を受けた従属親機の受信制御チャネル管理部は全スロット、全キャリアでの制御チャネルサーチを開始し、
該制御チャネルサーチにおいて、従属親機の無線受信部は受信制御チャネル管理部によって指定されたスロットとキャリアの組み合わせでの受信を行い、一定時間、無線受信部から受信エラーのみが通知された場合、受信制御チャネル制御部からの受信失敗の通知に従って受信制御チャネル管理部は次のスロットとキャリアの組み合わせを指定することを特徴とする無線通信システム。
【発明の詳細な説明】
【技術分野】
【０００１】
本発明は、主親機に対し従属親機が無線同期する無線システムにおいて、従属親機が主親機への無線同期を維持する機能に関するものである。
【背景技術】
【０００２】
近年、電話やドアホンは、ほとんどの一般家庭で利用されており、設置の容易さや利便性の向上等のために無線通信を利用した製品が数多く実用化されている。
【０００３】
これら一般家庭で利用されるコードレス電話や無線ドアホン等の無線通信装置は、通話品質、秘匿性の向上の点からデジタル無線通信方式が主流となっており、そのほとんどで、周波数の利用効率の向上や装置の低コスト化のために時分割多重方式が採用されている。
【０００４】
ユーザの利便性から、１台の子機で電話とドアホンの双方を利用可能なシステムが望まれており、更に無線干渉の観点からも、システム内の１つの親機が主親機として動作し、その他の親機は主親機に同期し（以下、このような親機を従属親機と呼ぶ）、子機は主親機もしくは従属親機に同期するような無線システムが必要となっている。
【０００５】
なお、同期の維持を図る方法として、しばらくタイマーを設定してバッテリーセーブ状態に入り、タイマー満了時に受信を再開するような方法が知られている（特許文献１）。
【特許文献１】特開平８−２８８９００号公報
【発明の開示】
【発明が解決しようとする課題】
【０００６】
上記のような無線システムの場合、従属親機は通常子機が行うように主親機への同期捕捉及び同期維持を行う。従属親機が主親機への同期を外した場合、従属親機は主親機への再同期を行うが、この同期捕捉処理の間、従属親機はもちろん、従属親機に同期する子機も無線動作ができなくなってしまう。
【０００７】
再同期を行うことなく同期の維持を図る方法として、特許文献１にあるように、しばらくタイマーを設定してバッテリーセーブ状態に入り、タイマー満了時に受信を再開するような方法も提案されているが、本方法ではやはり従属親機に同期する子機が無線動作できなくなってしまう。
【０００８】
解決しようとする課題は、従属親機が主親機との同期を外しにくくすることであり、そのための同期維持方法の提供を目的とする。
【課題を解決するための手段】
【０００９】
本発明は、従属親機に受信制御チャネル管理部を設け、主親機の制御チャネルを一定時間受信失敗した場合、フレーム同期を維持したまま、すべてのスロットとすべてのキャリアの組み合わせにて主親機の制御チャネル走査を実施することを主要な特徴とする。
【発明の効果】
【００１０】
本発明は、従属親機が主親機の制御チャネルを一定時間受信失敗した場合、フレーム同期を維持したまま、すべてのスロットとすべてのキャリアの組み合わせにて主親機の制御チャネル走査を実施し、主親機の制御チャネルが見つかった場合には、そのスロット及びキャリアにて同期を維持することにより、主親機との同期を外しにくくなるという利点がある。
【発明を実施するための最良の形態】
【００１１】
本発明は、従属親機が主親機との同期を外しにくくするという目的を、従属親機が主親機の制御チャネルを一定時間受信失敗した場合、フレーム同期を維持したまま、すべてのスロットとすべてのキャリアの組み合わせにて主親機の制御チャネル走査を実施することにより実現した。
【００１２】
上記課題を解決するためになされた第一の発明は、主親機に対し無線同期を行う従属親機が存在する無線システムにおいて、従属親機が主親機の制御チャネルを一定時間受信失敗した場合に、すべてのスロットとすべてのキャリアの組み合わせにて主親機の制御チャネルを走査する手段と、主親機の制御チャネルが見つかった場合には、そのスロット及びキャリアにて同期を維持する手段とを有することを特徴とする無線通信システムであり、従属親機が主親機の制御チャネルを一定時間受信失敗した場合、すべてのスロットとすべてのキャリアの組み合わせにて主親機の制御チャネル走査を実施し、主親機との同期を外しにくくなるという利点を有する。
【００１３】
上記課題を解決するためになされた第二の発明は、従属親機が主親機の制御チャネルを一定時間受信失敗した場合に、同期中のフレーム同期を維持する手段を有することを特徴とする無線通信システムであり、第一の発明にて行う主親機の制御チャネル走査の間、従属親機が主親機とのフレーム同期を維持するため、主親機の制御チャネルを受信する確率が高くなるという利点を有する。
【００１４】
（実施の形態１）
以下、本発明の実施の形態１について、図１及び図２に基づいて説明する。
【００１５】
実施の形態１は、従属親機が主親機の制御チャネルを一定時間受信失敗した場合、すべてのスロットとすべてのキャリアの組み合わせを順次走査し、主親機の制御チャネルを見つけた場合、そのまま同期維持する動作である。
【００１６】
図１は、本発明の実施の形態における従属親機のブロック図である。
【００１７】
１０は公衆回線へ接続され、本無線システムの無線同期マスターである主親機、２０は主親機１０へ同期捕捉し、自身も子機に対して制御チャネルを報知する従属親機、３０は主親機１０及び従属親機２０に無線同期する子機である。
【００１８】
２０１は主親機１０や子機３０からの無線信号を受信する無線受信部、２０２は主親機１０や子機３０に無線信号を送信する無線送信部、２０３は主親機１０への同期捕捉、同期維持を制御する受信制御チャネル制御部、２０４は受信制御チャネル制御部２０３から送られる自身と主親機１０との位相差情報から自身のクロック補正やビット補間を行うタイミング制御部、２０５は主親機１０の制御チャネル受信が連続エラーになった場合に受信するスロットとキャリアの組み合わせを順次変更するよう受信制御チャネル制御部２０３に指示する受信制御チャネル管理部、２０６は従属親機２０が子機３０に対して送信する制御チャネルの確立、解放を行う送信制御チャネル制御部、２０７は主親機１０及び子機３０との通話チャネルの確立、解放を行う通信チャネル制御部、２０８は送信制御チャネルや通話チャネルに使用するチャネル選択を行うチャネル選択部、２０９は従属親機２０全体の制御を行う呼制御部である。
【００１９】
図２は、本発明の実施の形態における無線フレーム構成図である。従属親機及び子機が主親機のフレームタイミングに同期し、主親機の送信制御チャネルがスロット０、従属親機の送信制御チャネルがスロット５の状況を示している。
【００２０】
まず、従属親機２０が主親機１０に同期する動作について説明する。呼制御部２０９から受信制御チャネル制御部２０３に同期する主親機１０のＩＤ情報と共に同期捕捉が要求されると、受信制御チャネル制御部２０３は無線受信部２０１にオープンサーチを要求する。無線受信部２０１はオープンサーチ動作によって受信したＩＤ情報を受信制御チャネル制御部２０３に通知し、これが主親機１０のものと異なる場合は、受信制御チャネル制御部２０３は無線受信部２０１にオープンサーチの継続を通知する。受信したＩＤ情報が主親機１０のものと一致する場合は、受信制御チャネル制御部２０３は無線受信部２０１に同期維持を通知し、無線受信部２０１はその位置での受信を継続する。以降、無線受信部２０１は受信したデータを受信制御チャネル制御部２０３に通知し、同期捕捉に必要な全てのデータが受信されると、受信制御チャネル制御部２０３は呼制御部２０９に同期捕捉完了を通知する。
【００２１】
次に、従属親機２０が制御チャネルの送信を開始する動作について説明する。従属親機２０が主親機１０に同期すると、呼制御部２０９は送信制御チャネル制御部２０６に制御チャネルの送信を要求する。送信制御チャネル制御部２０６が制御チャネルに送信に使用するスロット及びキャリアをチャネル選択部２０８に要求すると、チャネル選択部２０８は未使用なスロットのうち一つを選択する。例えば、図２のように主親機１０の制御チャネルがスロット０を使用し、従属親機２０がその制御チャネルに同期している場合、残りのスロット１〜５のうち一つを選択することになる。チャネル選択部２０８は選択したスロットとキャリアの情報を送信制御チャネル制御部２０６に通知し、送信制御チャネル制御部２０６はそのスロットとキャリアでの送信制御チャネル確立を無線送信部２０２に要求する。スロット５を選択した場合、図２のような構成となる。
【００２２】
次に、従属親機２０が主親機１０への同期を維持するために行う処理について説明する。主親機１０の制御チャネルの受信に失敗すると、無線受信部２０１から受信制御チャネル制御部２０３に受信エラーが通知される。受信エラーが一定時間続いた場合、受信制御チャネル制御部２０３から受信制御チャネル管理部２０５に制御チャネルの受信状況悪化が通知される。
【００２３】
制御チャネルの受信状況悪化の通知を受けた受信制御チャネル管理部２０５は、全スロット、全キャリアでの制御チャネルサーチを開始する。例えば、まずスロット０とキャリア０とを選択して、受信制御チャネル制御部２０３に受信位置切替を要求する。
受信制御チャネル制御部２０３はそれまでの制御チャネル受信を停止した後、スロット０とキャリア０での制御チャネル受信を無線受信部２０１に要求する。無線受信部２０１は指定された組み合わせでの受信を行い、受信の度に受信結果（受信エラーｏｒ受信情報）を受信制御チャネル制御部２０３に通知する。
【００２４】
一定時間、例えば５フレーム時間、受信エラーのみが通知された場合、受信制御チャネル制御部２０３は受信失敗を受信制御チャネル管理部２０５に通知する。受信制御チャネル管理部２０５は次の組み合わせ、例えば、スロット１とキャリア０を選択し、同様に制御チャネル受信を行う。
【００２５】
このように、スロットとキャリアの組み合わせを順次変更しながら制御チャネルの受信を行っていくが、主親機１０のＩＤ情報が無線受信部２０１から受信制御チャネル制御部２０３に通知された場合、受信制御チャネル制御部２０３はその組み合わせでの受信を継続し、受信制御チャネル管理部２０５に受信成功を通知し、受信制御チャネル管理部２０５による同期維持動作は成功となる。逆に、すべてのスロット及びキャリアの組み合わせにて制御チャネル受信を実施しても主親機１０のＩＤ情報を受信できなかった場合、同期維持動作は失敗となり、受信制御チャネル制御部２０３は呼制御部２０９に同期はずれを通知する。これらの動作により、主親機１０が制御チャネル移動通知を送信しない、あるいは従属親機２０が制御チャネル移動通知を受信失敗したような場合も、移動先の制御チャネルを見つけることが可能になり、従属親機２０は主親機１０への同期を外しにくくなる。
【００２６】
（実施の形態２）
以下、本発明の実施の形態２について、図１に基づいて説明する。
【００２７】
実施の形態２は、実施の形態１におけるすべてのスロットとすべてのキャリアの走査を短時間で行うべく、同時に複数スロットでの受信を行う動作である。
【００２８】
実施の形態１同様に、制御チャネルにおける受信エラーが継続すると、受信制御チャネル制御部２０３から受信制御チャネル管理部２０５に制御チャネルの受信状況悪化が通知される。受信制御チャネル管理部２０５は、受信動作を行うすべてのスロットとそれぞれのスロットにて使用するキャリアの組み合わせを指定して、受信制御チャネル制御部２０３に受信開始を要求する。受信制御チャネル制御部２０３はそれまでの制御チャネル受信を停止した後、指定されたスロットとキャリアでの制御チャネル受信を無線受信部２０１に要求し、無線受信部２０１は同組み合わせでの受信を行い、各スロットの受信の度に受信結果（受信エラーｏｒ受信情報）を受信制御チャネル制御部２０３に通知する。これらの動作により、同時に複数のスロットでの走査が可能なことから、実施の形態１に比べて短時間で制御チャネル受信が可能になる。同様の処理にて、すべてのスロットで同時に走査することも可能である。
【００２９】
（実施の形態３）
以下、本発明の実施の形態３について、図１及び図３に基づいて説明する。
【００３０】
実施の形態３は、実施の形態１及び２で説明した、従属親機が主親機の制御チャネルを一定時間受信失敗し、すべてのスロットとすべてのキャリアの組み合わせを走査する動作の間、主親機へのフレーム同期をクロック補正によって維持する動作である。
【００３１】
図１は、本発明の実施の形態における従属親機のブロック図であり、図３は本発明の実施の形態における位相差検知の図である。
【００３２】
まず、主親機１０に同期維持する従属親機２０が、位相差情報からタイミング制御を行う動作について説明する。主親機１０に同期する従属親機２０では、主親機からの信号を受信するたびに受信制御チャネル制御部２０３において、自身のフレームタイミングと受信した主親機１０のタイミングとの位相差を計測し、タイミング制御部２０４に通知する。位相差の情報は自身のタイミングを基準に符号付きの時間で通知され、例えば図３においては、−１０ｕｓとなる。タイミング制御部２０４は位相差情報から受信のフレームタイミングができるだけ主親機１０のタイミングとが同じになるような制御を行う。具体的には、自身の動作クロックの補正やビット単位で差を補間する為のビット補間等を実施する。これらの動作により、主親機１０と従属親機２０との位相差は徐々に小さくなるものの、位相差が全くなくなることはない。
【００３３】
次に、主親機１０と従属親機２０との位相差が安定期に入ったときの動作について説明する。安定期に入るとタイミング制御部２０４による調整はほぼ周期的な動作になる。動作クロックの補正であれば、ほぼ一定の周期でもってクロックの増減を繰り返す動作になり、一方ビット補間であれば、ほぼ一定の周期でもってビット付加もしくは削除が繰り返されることになる。このようにタイミング調整が安定期に入った場合、タイミング制御部２０４はこれらの周期と制御を安定期用制御として記憶するようにする。
【００３４】
次に、従属親機２０が主親機１０の制御チャネルを受信エラーし続けた場合の動作について説明する。無線受信部２０１で主親機１０からの制御チャネルを受信エラーすると、受信制御チャネル制御部２０３に受信エラーが通知され、受信制御チャネル制御部２０３も同じく受信エラーをタイミング制御部２０４に通知する。受信エラーが続く場合、タイミング制御部２０４は記憶しておいた安定期用制御からタイミング制御を継続して行うようにする。これらの動作により、従属親機２０が主親機１０の制御チャネルを一定時間受信失敗する場合でも、主親機１０へのフレーム同期を維持することが可能になる。
【００３５】
以上の説明においては、制御チャネルを含む通信チャネルが固定キャリアである時分割多重方式について述べたが、本発明はこれに限るものではなく、周波数ホッピングを行う時分割多重方式無線システムへの制約が一切ないことは言うまでもない。また、主親機を１台のみに限定して述べたが、主親機同士が有線接続によって同期し、それらのうちの１つに従属親機が無線同期するような無線システムへも応用される。
【産業上の利用可能性】
【００３６】
本発明は、従属親機が主親機との同期を外しにくくなるため、それらに同期する子機が安定して動作することができ、システム内に複数の親機が存在し、それらが無線同期するような無線通信システムに適している。
【図面の簡単な説明】
【００３７】
【図１】本発明の実施の形態における従属親機のブロック図
【図２】本発明の実施の形態における無線フレーム構成図
【図３】本発明の実施の形態における位相差検知の図
【符号の説明】
【００３８】
１０    主親機
２０    従属親機
３０    子機
２０１    無線受信部
２０２    無線送信部
２０３    受信制御チャネル制御部
２０４    タイミング制御部
２０５    受信制御チャネル管理部
２０６    送信制御チャネル制御部
２０７    通信チャネル制御部
２０８    チャネル選択部
２０９    呼制御部
【図１】
2007013543.tif 000003
【図２】
2007013543.tif 000004
【図３】
2007013543.tif 000005